(57)【要約】【課題】メインカメラ画面の視認性を損なうことなく、サブカメラでの撮像の構図決定を補助することを可能にした撮像装置を提供すること。【解決手段】第１の画像（５００）を取得する第１の撮影手段（２０１）と、前記第１の撮影手段（２０１）とは異なる、第２の画像（５１０）を取得する第２の撮影手段（３０１）と、前記第１の画像（５００）と前記第２の画像（５１０）を同時に表示可能な表示手段（４）と、撮像画像に撮像のための補助的な情報を提供する基準線画像を重畳して表示させる表示制御部（５６）を備え、前記第１の画像（５００）には、第１の基準線画像（５０１、５０２）を重畳し、前記第２の画像（５１０）には、前記第１の基準線画像（５０１、５０２）と表示態様を異ならせた第２の基準線画像（５１１、５１２）を重畳し、前記第１および第２の基準線画像（５０１、５０２、５１１、５１２）は、グリッド線画像であり、線の太さや線の種類、線の数を変更可能であることを特徴とする。【選択図】図１
2018191028.tif 000002
【特許請求の範囲】
【請求項１】
第１の画像を取得する第１の撮影手段と、
前記第１の撮影手段とは異なる、第２の画像を取得する第２の撮影手段と、
前記第１の画像と前記第２の画像を同時に表示可能な表示手段と、
撮像画像に撮像のための補助的な情報を提供する基準線画像を重畳して表示させる表示制御部を備え、
前記第１の画像には、第１の基準線画像を重畳し、
前記第２の画像には、前記第１の基準線画像と表示態様を異ならせた第２の基準線画像を重畳し、
前記第１および第２の基準線画像は、グリッド線画像であり、線の太さや線の種類、線の数を変更可能であることを特徴とする撮像装置。
【請求項２】
前記第１の基準線画像の線の種類は実線であり、前記第２の基準線画像の線の種類は破線であることを特徴とする、請求項１に記載の撮像装置。
【請求項３】
前記第１の基準線画像の線の太さは、前記第２の基準線画像の線の太さよりも太いことを特徴とする、請求項１又は請求項２に記載の撮像装置。
【請求項４】
前記第１の基準線画像の線の本数は、前記第２の基準線画像の線の本数よりも多いことを特徴とする、請求項１から請求項３の何れか一項に記載の撮像装置。
【請求項５】
前記第１および第２の基準線画像は方眼であり、前記第１の基準線画像の方眼の画角にあわせるように、前記第２の基準線の方眼を変更する処理手段を有することを特徴とする、請求項１に記載の撮像装置。
【請求項６】
第１の画像を取得する第１の撮影手段と、
前記第１の画像とは異なる第２の画像を取得する第２の撮影手段と、
前記第１の画像と前記第２の画像を同時に表示可能な表示手段と、
前記第１の画像に、撮像のための補助的な情報を提供する第１の基準線画像を重畳して表示させる表示制御部を備え、
前記第１の基準線画像は選択可能であり、
前記第１の基準線画像に応じて、前記第２の画像の表示位置またはサイズを変更して重畳表示させる、処理手段を有することを特徴とする撮像装置。
【請求項７】
前記第１の基準線画像の少なくとも一本は、前記第２の画像に重畳される前記第２の基準線画像の縦線または横線と揃えるように、前記第２の画像位置を移動させる手段を有することを特徴とする、請求項６に記載の撮像装置。
【請求項８】
前記第２の画像は前記第１の基準線画像と重畳しない領域へ、変倍処理を実施し移動する手段を有することを特徴とする、請求項６に記載の撮像装置。
【請求項９】
前記第１の画像に含まれる主要被写体を検知して、検知した以外の領域へ、前記第２の画像を配置する手段を有することを特徴とする、請求項６又は請求項８に記載の撮像装置。
【発明の詳細な説明】
【技術分野】
【０００１】
本発明は、撮像装置およびプログラムに関する。
【背景技術】
【０００２】
従来、デジタルカメラなどの撮像装置においては、例えばＬＣＤ（Ｌｉｑｕｉｄ  Ｃｒｙｓｔａｌ  Ｄｉｓｐｌａｙ）などを用いた背面パネルなどの表示部が設けられることが一般的である。この表示部では、撮像素子の出力する撮像画面をライブビュー表示するとともに、例えば、グリッドパターンなどの補助線を撮像画像に重畳表示することで、ユーザによる撮像の構図決定を補助することが可能である。複数の種類の補助的な情報を撮像画像に重畳して表示する場合は、ユーザによる撮像の構図決定を阻害しないように、干渉を抑制する技術が知られている。
【０００３】
特許文献１には、グリッド線とオートフォーカスによる合焦の対象となる領域を示すオートフォーカス枠とが撮像画像に重畳される場合、オートフォーカス枠内のグリッド線の透明度を透明になるように変更して、合成する撮像装置が開示されている。
【０００４】
また、撮影者から見える被写体を撮影するメインカメラ画像とともに、撮影者自身や撮影者側の被写体を撮像するサブカメラ画像を取得可能な撮像装置では、両方の画像を合成し表示する。
【０００５】
特許文献２には、メインカメラ画像とサブカメラ画像から被写体の領域を検出し、リサイズすることで、メインカメラ画像で撮像した被写体がサブカメラで撮像した画像によって隠れてしまうことを防ぐ技術が開示されている。
【先行技術文献】
【特許文献】
【０００６】
【特許文献１】特許第５５６１０１９号公報
【特許文献２】特開２０１４−２４１５６９号公報
【発明の概要】
【発明が解決しようとする課題】
【０００７】
しかしながら、上述の特許文献に開示された従来技術では、特許文献２では、撮像のために補助的な情報を提供する、第１と第２の画像を合成して合成補助画像を生成する時、それぞれの透明度を変更して設定している。メインカメラ画面の視認性を損なうことはないが、サブカメラ画面では、構図決定の補助を行うことが出来なかった。
【０００８】
そこで、本発明の目的は、メインカメラ画面の視認性を損なうことなく、サブカメラでの撮像の構図決定を補助することを可能にした撮像装置を提供することにある。
【課題を解決するための手段】
【０００９】
上記の目的を達成するために、本発明に係る撮像装置は、
第１の画像を取得する第１の撮影手段と、前記第１の撮影手段とは異なる、第２の画像を取得する第２の撮影手段と、前記第１の画像と前記第２の画像を同時に表示可能な表示手段と、撮撮像画像に撮像のための補助的な情報を提供する基準線画像を重畳して表示させる表示制御部を備え、前記第１の画像には、第１の基準線画像を重畳し、前記第２の画像には、前記第１の基準線画像と表示態様を異ならせた第２の基準線画像を重畳し、前記第１および第２の基準線画像は、グリッド線画像であり、線の太さや線の種類、線の数を変更可能であることを特徴とする。
【発明の効果】
【００１０】
本発明によれば、メインカメラ画面の視認性を損なうことなく、サブカメラでの撮像の構図決定を補助することを可能にした撮像装置を提供することができる。
【図面の簡単な説明】
【００１１】
【図１】本実施形態に係るカメラの構図補助線作成処理のフローチャート
【図２】本実施の形態に係るカメラの制御系の構成を示すブロック図
【図３】本実施の形態に係るカメラの正面斜視図
【図４】（ａ）は本実施の形態に係るカメラの表示モード設定画面図、（ｂ）と（ｃ）は本実施の形態に係るカメラの撮影補助線の設定画面図
【図５】（ａ）〜（ｃ）は第１の実施形態に係るワイプモードにおける画面表示図、（ｄ）は第１の実施形態に係るデュアルモードにおける画面表示図
【図６】第２の実施形態に係る画面表示図
【発明を実施するための形態】
【００１２】
以下、添付図面を参照して本発明を実施するための好ましい形態を詳細に説明する。
【００１３】
（ブロック図の説明）
図２のブロック図を参照して、本実施形態の撮影装置本体であるデジタル一眼レフカメラ１０１および第２の撮影部２０１の制御系の構成を説明する。
【００１４】
２０１は第１の撮影部としての撮影レンズ本体であり、２０４はレンズ群、２０５は絞りである。９はミラーユニット、１０６は焦点検出ユニット、１０ａはフォーカルプレンシャッタ、１１６ａは光学画像を電気信号に変換する第１の撮像素子である。３０１は第２の撮影部であり、２０６は着脱不可のレンズ、１０ｂはレンズシャッタである。また、１１６ｂは第２の撮像素子であり、５０はＡ／Ｄ変換部である。５１は撮像素子１１６ａ、１１６ｂやＡ／Ｄ変換部５０にクロック信号や制御信号を供給するタイミング発生回路であり、メモリ制御部５２およびシステム制御部５３により制御されている。
【００１５】
５４は画像処理部であり、Ａ／Ｄ変換部５０あるいはメモリ制御部５２からの画像データに対して画素補間処理や色変換処理等の所定の画像処理を行う。
【００１６】
メモリ制御部５２は、Ａ／Ｄ変換部５０、タイミング発生回路５１、画像処理部５４、画像表示メモリ５５、表示制御部５６、メモリ５７、圧縮伸長部５８を制御する。Ａ／Ｄ変換部５０から出力される画像データは、画像処理部５４、メモリ制御部５２を介して、あるいはＡ／Ｄ変換部５０のデータが直接メモリ制御部５２を介して、画像表示メモリ５５あるいはメモリ５７に書き込まれる。
【００１７】
５７は撮影した画像を格納するためのメモリであり、所定枚数の画像を格納するのに十分な記憶量を備えている。５８はメモリ５７から読み出した画像データを所定の画像処理方法（例えば、適用離散コサイン変換など）に従って画像データを圧縮処理あるいは伸長処理する圧縮伸長部であり、処理を終えた画像データをメモリ５７に書き込む。処理を終えた画像データは更に、着脱可能な記録媒体５９に記録される。この記録媒体５９は、フラッシュメモリ等の不揮発性メモリによって構成されている。また、記録媒体５９から画像データをメモリ５７に読み出し、画像処理部５４やメモリ制御部５２を介して画像表示メモリ５５に画像データを書き込む処理を実施し、表示制御部５６により画像表示部４に表示する場合にも使用される。
【００１８】
６１はフォーカルプレンシャッタ１０ａ、レンズシャッタ１０ｂを制御するシャッタ制御部、６２はミラーユニット９を制御するミラー制御部、６３は絞り２０５を制御する絞り制御部、６４は撮影レンズ本体２０１のレンズ群２０４の一部であるフォーカシングレンズを制御する測距制御部である。
【００１９】
５３はカメラ本体１０１を制御するシステム制御部である。システム制御部５３は、システムメモリ６６に格納されたプログラムを実行する。
【００２０】
６６はシステム制御部５３の動作用の定数、変数、プログラムなどを記憶するメモリであり、撮影に伴う処理に関する各種プログラムが記録されている。
【００２１】
６７は電源制御部で、電源検出回路、ＤＣ−ＤＣコンバータ、電力を供給する回路ブロックを切換えるスイッチ回路等により構成されており、電源部の装着の有無、電源の種類、電池残量の検出等を行い、検出結果およびシステム制御部５３の指示に基づいてＤＣ−ＤＣコンバータを制御し、必要な電圧を必要な期間、各部へ電力を供給する。２は撮影を指示するためのレリーズボタンであり、レリーズボタン２の押下によりシステム制御部５３からの指示に基づいて、前述した測光・ＡＦ・露光等に関わる各制御動作、および各画像処理動作が実施される。
【００２２】
（カメラの構成）
図３は、本実施形態の撮影装置本体であるデジタル一眼レフカメラ１０１を前方（被写体側）から見た正面斜視図である。なお、本実施の形態のカメラはＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子により被写体像を光電変換して画像情報を生成し、電子的記録媒体にその画像情報を記録するデジタルカメラである。
【００２３】
１０１はカメラ本体、２０１は第１の撮影部、３０１は第２の撮影部である。カメラ本体１０１は撮影レンズ２０１を通して、撮影者が主に撮影したい被写体を撮像する。第２の撮影部３０１は、撮影レンズ２０１とは異なる画角の被写体を撮影できる。ここでは、第２の撮影部３０１は、第１の撮影部２０１と同一面に配置されているが、撮影者側であるカメラ本体１０１の後方や側面などの異なる面に配置されていてもよい。また、カメラ本体１０１に対して、回転可能に取り付けられていてもよい。カメラ本体１０１の撮影者側には、撮影画像の確認や選択、メニュー機能の選択・設定等に使用する画像表示部４（不図示）や、カメラの撮影モードを選択するボタン３（不図示）が配置される。画像表示部４は、例えば３．０インチ程度のＴＦＴ液晶パネル等から構成されている。
【００２４】
（実施例１  撮影補助線の構成）
図１は、本実施形態に係るカメラの構図補助線作成処理のフローチャートである。
【００２５】
Ｓ１０にて、カメラの撮影モードを選択する。本実施形のカメラの撮影モードとして、通常撮影モードと合成撮影モードを有している。通常撮影モードは、カメラが撮影レンズ２０１から得られた第１の画像を撮影し、記録処理を行うモードである。合成撮影モードは、カメラが第１の撮影部２０１と略同時に第２の撮影部３０１から得られた第２の画像をライブ表示し、両画像を合成した合成画像、または、それぞれの画像を別々に記録する処理を行うモードである。
【００２６】
合成撮影モードでは、画面表示部に表示される表示モードを設定する（Ｓ１１）。一例として図４（ａ）に示すように、表示モード設定画面にはワイプモードボタンＳ４０とデュアルモードボタンＳ４１が含まれる。ワイプモードは、第１の画像５００は第２の画像５１０よりも大きく表示され（図５（ａ）〜（ｃ））、デュアルモードでは、第１の画像５００と第２の画像５１０は略同一の大きさで表示される（図５（ｄ））。
【００２７】
次にＳ１２で撮影補助線の表示形態を決定する。第１の画像５００と第２の画像５１０と重畳する撮影補助線の表示形態を選択可能であり、第１の画像５００には、第１の撮影補助線、第２の画像５１０には、第２の撮影補助線が表示されている。撮影補助線は、例えばユーザが構図を決定するときの目安または目印として表示される。一例として、図４（ｂ）（ｃ）に撮影補助線の選択画面を示す。撮影補助線は、線の種類、太さ、分割数を変更可能である。例えば、第１の撮影補助線は太線で、第２の撮影補助線は細線である（４１０）。また、第１の撮影補助線は実線で、第２の撮影補助線は破線でもよい（４１１）。その他に、自動的に第１と第２の撮影補助線を選択する、通常モード４１２などがあってもよい。また、撮影補助線は、具体的には水平線（４２０）、垂直線（４２１）、水平線と垂直線とを組み合わせたグリッド線（４２３、４２４）、または画面の中心を示す中心マークなどがありうる。撮影補助線は、撮像装置の画像表示メモリ５５に画像データとして予め格納されているものであってもよい。
【００２８】
次にＳ１３で選択した撮影補助線を各画像に重畳させる。それぞれの撮影補助線において、表示領域以外は透明領域であり、撮影補助線を他の画像に重畳した場合、透明領域では、重畳された他の画像が透過して表示される。図５（ａ）〜（ｃ）に、ワイプモードにおける画面表示の一例を示す。
【００２９】
図５（ａ）（ｂ）の第１の撮影補助線は、第１の画像５００の画面を縦横それぞれ３分割するグリッド線であり、第２の撮影補助線は、第２の画像５１０の画面を縦横それぞれ２分割するグリッド線である。そこにおいて、図５（ａ）の第１の撮影補助線５０１は太線で、第２の撮影補助線５１１は細線である。また、図５（ｂ）では、第１の撮影補助線５０２は実線で、第２の撮影補助線５１２は破線である。図（ｃ）は、第１の画像５００の第１の撮影補助線は、表示領域の画面を縦に３分割、横に４分割するグリッド線であり、第２の画像５１０の第２の撮影補助線は、表示領域の画面を縦横それぞれ２分割するグリッド線である。このとき、各分割領域の一マス（５０５、５１５）は同じ画角である。例えば、第１の画像５００と第２の画像５１０の画角を自動的に判別して、撮影補助線の出し方を変更し、それぞれの一マスごとの画角を合わせてもよい。
【００３０】
図５（ｄ）には、デュアルモードにおける画面表示の一例を示す。
【００３１】
第１の画像５００の第１の撮影補助線は、表示領域を縦横それぞれ３分割するグリッド線であり、第２の補助線は、縦に３分割するグリッド線である。この時、第１の画像５００は第２の画像５１０よりも画面の分割数は多いが、逆でも構わない。
【００３２】
次にＳ１４で画像を保存する。保存は、第１の画像と第２の画像を合成した合成画像、または、それぞれの画像を別々に保存する。
【００３３】
以上のように、第１の画像５００と第２の画像５１０に撮影補助線を重畳させる時に、それぞれの画像に応じて、撮影補助線の表示を第１の画像５００と第２の画像５１０で異ならせる。これにより、視認性を損なうことなく、撮影の構図決定を補助することが可能となる。
【００３４】
上記の例以外にも、ユーザの用途や嗜好に応じて様々なパターンの撮影補助線が存在しうる。撮影装置では、これらの撮影補助線のうちのいずれかを表示するように予め設定されてもよく、またユーザの操作に応じて、表示する撮影補助線を選択可能であってもよい。さらに、撮影装置では、撮影画像を認識して自動的に表示する撮影補助線が選択されてもよい。
【００３５】
（実施例２  撮影補助線の構成）
次に図６を参照して、本発明の第２の実施形態について説明する。なお、本発明の第２の実施形態は、第１の実施形態と比べて撮影装置が第２の画像の表示画面を自動設定する点において相違するが、その他の機能構成は第１の実施形態と略同一であるため、詳細説明は省略する。
【００３６】
本実施形態において、表示制御部５６は、第１の画像６００に重畳する第１の撮影補助線に応じて、第２の画像６１０の表示位置またはサイズを変える。具体的には、第１の撮影補助線の少なくとも１本は、第２の撮影補助線の縦線または横線と揃えるように、第２の画像６１０を移動させる。例えば、図６（ａ）は、第１の画像６００の第１の撮影補助線は、表示領域の画面を縦に３分割、横に４分割するグリッド線であり、第２の画像６１０の第２の撮影補助線は、表示領域は、画面を縦横それぞれ２分割するグリッド線である。図６（ａ）は、第１の撮影補助線の内一つの横線６０１と第２の撮影補助線の縦線６１１、および第１の撮影補助線の内一つの縦線６０２と第２の撮影補助線の縦線６１２を略同一直線上に揃うように、第２の画像６１０の表示面を移動させた図である。また、図６（ｂ）のように、第１の撮影補助線の内一つの横線６０３と第２の撮影補助線の縦線６１３が略同一直線上に揃うように、第２の画像６１０の表示面を移動させてもよい。この時、第１の撮影補助線の内一つの縦線６０４と第２の撮影補助線の縦線６１４は同一直線上にはない。
【００３７】
また、第１の画像６００に重畳する第１の撮影補助線に応じて、第２の画像６１０の表示位置またはサイズを変える方法としては、図６（ｃ）のように第２の画像を第１の撮影補助線と重畳しない領域へ、変倍処理を実施して移動してもよい。この時、第１の画像に含まれる主要被写体を検知して、検知した以外の領域へ、前記第２の画像を配置する手段を有してもよい。
【００３８】
以上のように、第１の画像６００の撮影補助線に応じて、第２の画像６１０の表示位置またはサイズを変える。これにより、視認性を損なうことなく、撮影の構図決定を補助することが可能となる。
【００３９】
以上、本発明の好ましい実施形態について説明したが、本発明はこれらの実施形態に限定されず、その要旨の範囲内で種々の変形及び変更が可能である。
【符号の説明】
【００４０】
１０１  デジタル一眼レフカメラ、４  画像表示部、５６  表示制御部、
２０１  第１の撮影部、３０１  第２の撮影部、５００，６００  第１の画像、
５１０，６１０  第２の画像、５０１，５０２  第１の撮影補助線、
５１１，５１２  第２の撮影補助線
【図１】
2018191028.tif 000003
【図２】
2018191028.tif 000004
【図３】
2018191028.tif 000005
【図４】
2018191028.tif 000006
【図５】
2018191028.tif 000007
【図６】
2018191028.tif 000008